(57)【要約】【課題】簡単な構成で加湿効果を向上できると共にやけど防止ができる加湿機能付き空気清浄機を提供する。【解決手段】第１,第２空気清浄用フィルタ２３,２４と遠心ファン２５とを有する空気清浄部２０と、蒸気吹出口３６aから蒸気を吹き出す加湿部３０とを備える。上記遠心ファン２５によって、吸込口１,３,４,５から吸い込んだ空気を第１,第２空気清浄用フィルタ２３,２４と吹き出し通路２６を介して吹出口２から吹き出す。上記空気清浄部２０の吹き出し通路２６内に配置された加湿部３０の蒸気吹出口３６aから吹き出した蒸気は、空気清浄部２０により清浄化された空気と共に室内に供給される。【選択図】図２
2006046875.tif 000002
【特許請求の範囲】
【請求項１】
空気清浄用フィルタ(２３,２４)と、吸込口(１,３,４,５)から吸い込んだ空気を上記空気清浄用フィルタ(２３,２４)と吹き出し通路(２６)を介して吹出口(２)から吹き出す送風ファン(２５)とを有する空気清浄部(２０)と、
蒸気吹出口(３６a)から蒸気を吹き出す加湿部(３０)とを備え、
上記空気清浄部(２０)の上記吹き出し通路(２６)内に蒸気が供給されるように、上記加湿部(３０)の上記蒸気吹出口(３６a)が上記吹き出し通路(２６)に配置されていることを特徴とする加湿機能付き空気清浄機。
【請求項２】
請求項１に記載の加湿機能付き空気清浄機において、
上記空気清浄部(２０)の上記吹き出し通路(２６)内に配置された高電圧発生部(２７)を備え、
上記加湿部(３０)の上記蒸気吹出口(３６a)は、上記高電圧発生部(２７)よりも下流側に配置されていることを特徴とする加湿機能付き空気清浄機。
【請求項３】
請求項１または２に記載の加湿機能付き空気清浄機において、
上記加湿部(３０)の上記蒸気吹出口(３６a)は、上記吹き出し通路(２６)の上記吹出口(２)から所定の間隔をあけて上流側に配置されていることを特徴とする加湿機能付き空気清浄機。
【発明の詳細な説明】
【技術分野】
【０００１】
この発明は、加湿機能付き空気清浄機に関する。
【背景技術】
【０００２】
従来、加湿機能付き空気清浄機としては、本体ケーシング内に加湿部を備えたものがある(例えば、特開２０００−３５６３７４号公報(特許文献１)参照)。この加湿機能付き空気清浄機は、本体ケーシング内の左側方に空気清浄部を配置すると共に、本体ケーシング内の右側方に加湿部を配置しており、空気清浄部により清浄化された空気の一部を加湿部に供給して、加湿部から加湿された空気が吹き出す。このため、上記加湿機能付き空気清浄機では、加湿空気の吹き出し風量が少なく、加湿空気が十分に室内全体に供給されないという問題がある。また、上記加湿機能付き空気清浄機では、加湿部がヒータ加熱による蒸気を発生させて、吹出口から高温の加湿空気が吹き出すために、やけどをする恐れがあり、安全上の問題がある。
【特許文献１】特開２０００−３５６３７４号公報
【発明の開示】
【発明が解決しようとする課題】
【０００３】
そこで、この発明の目的は、簡単な構成で加湿効果を向上できると共にやけど防止ができる加湿機能付き空気清浄機を提供することにある。
【課題を解決するための手段】
【０００４】
上記目的を達成するため、この発明の加湿機能付き空気清浄機は、空気清浄用フィルタと、吸込口から吸い込んだ空気を上記空気清浄用フィルタと吹き出し通路を介して吹出口から吹き出す送風ファンとを有する空気清浄部と、蒸気吹出口から蒸気を吹き出す加湿部とを備え、上記空気清浄部の上記吹き出し通路内に蒸気が供給されるように、上記加湿部の上記蒸気吹出口が上記吹き出し通路に配置されていることを特徴とする。
【０００５】
上記構成の加湿機能付き空気清浄機によれば、上記加湿部の蒸気吹出口から空気清浄部の吹き出し通路内に蒸気が供給されるように、加湿部の蒸気吹出口を空気清浄部の吹き出し通路に配置することによって、吹き出し通路内に供給された蒸気は、空気清浄部により清浄化された多量の空気と共に室内に吹き出して、加湿空気を室内に効率よく循環させることができる。また、加湿部からの蒸気と空気清浄部からの清浄化された多量の空気が混ざり合うことにより、吹き出し空気の温度を下げることができる。したがって、簡単な構成で加湿効果を向上できると共に、やけどの発生を防止できる。
【０００６】
また、一実施形態の加湿機能付き空気清浄機は、上記空気清浄部の上記吹き出し通路内に配置された高電圧発生部を備え、上記加湿部の上記蒸気吹出口は、上記高電圧発生部よりも下流側に配置されていることを特徴とする。
【０００７】
上記実施形態の加湿機能付き空気清浄機によれば、上記加湿部の蒸気吹出口が高電圧発生部よりも下流側に配置されているので、蒸気が高電圧発生部に達することがなく、高電圧発生部における異常放電などの発生を防止できる。
【０００８】
また、一実施形態の加湿機能付き空気清浄機は、上記加湿部の上記蒸気吹出口は、上記吹き出し通路の上記吹出口から所定の間隔をあけて上流側に配置されていることを特徴とする。
【０００９】
上記実施形態の加湿機能付き空気清浄機によれば、加湿部の蒸気吹出口を、吹き出し通路の吹出口から所定の間隔をあけて上流側に配置することによって、加湿部の蒸気吹出口から吹き出した蒸気が吹き出し通路の吹出口に達するまでに空気清浄部からの清浄化された空気と十分に混ざり合って吹き出し空気の温度を下げるので、やけどの発生を確実に防止できる。
【発明の効果】
【００１０】
以上より明らかなように、この発明の加湿機能付き空気清浄機によれば、加湿部の蒸気吹出口を空気清浄部の吹き出し通路に配置して、空気清浄部の吹き出し通路内に蒸気を吹き出すことによって、簡単な構成で加湿効果を向上できると共に、やけどの発生を防止することができる。
【００１１】
また、一実施形態の加湿機能付き空気清浄機によれば、上記加湿部の蒸気吹出口が高電圧発生部よりも下流側に配置することによって、蒸気が高電圧発生部に達することがなく、高電圧発生部における異常放電などの発生を防止することができる。
【００１２】
また、一実施形態の加湿機能付き空気清浄機によれば、加湿部の蒸気吹出口を、吹き出し通路の吹出口から所定の間隔をあけて上流側に配置することによって、やけどの発生を確実に防止することができる。
【発明を実施するための最良の形態】
【００１３】
以下、この発明の加湿機能付き空気清浄機を図示の実施の形態により詳細に説明する。
【００１４】
図１(a)はこの発明の実施の一形態の加湿機能付き空気清浄機の正面図であり、図１(b)は上記加湿機能付き空気清浄機の側面図であり、図１(c)は上記加湿機能付き空気清浄機の上面図である。図１(a)〜(c)に示すように、この加湿機能付き空気清浄機は、奥行きよりも横幅が広い略直方体形状の本体ケーシング１０を備え、その本体ケーシング１０の前面に、正面吸込口１を有するフロントパネル１１を着脱自在に取り付けている。上記本体ケーシング１０の左右側面(フロントパネル１１近傍)に縦長の側面吸込口３,４を夫々設けている。また、上記本体ケーシング１０の上面(フロントパネル１１近傍)に、長手方向が左右方向の上面吸込口５を夫々設けている。
【００１５】
また、図２(a)は上記加湿機能付き空気清浄機の正面側から見た模式図であり、図２(b)は上記加湿機能付き空気清浄機の側面側から見た構成を示す模式図であり、図２(c)は上記加湿機能付き空気清浄機の背面側から見た構成を示す模式図である。
【００１６】
上記加湿機能付き空気清浄機は、図２(b)に示すように、前面側(図２中左側)から順に、プレフィルタ２１,電気集塵部２２,第１空気清浄用フィルタ２３,第２空気清浄用フィルタ２４および送風ファンの一例としての遠心ファン２５を配置している。このプレフィルタ２１,電気集塵部２２,第１空気清浄用フィルタ２３,第２空気清浄用フィルタ２４および遠心ファン２５で空気清浄部２０を構成している。なお、第１空気清浄用フィルタ２３,第２空気清浄用フィルタ２４には、光触媒フィルタやバイオフィルタなどの空気清浄用フィルタを用いる。
【００１７】
上記空気清浄部２０において、本体ケーシング１０の前後方向に沿って回転軸が配置された遠心ファン２５は、正面吸込口１から吸い込んだ空気をプレフィルタ２１,電気集塵部２２,第１空気清浄用フィルタ２３,第２空気清浄用フィルタ２４および吹き出し通路２６を介して吹出口２から吹き出す。このとき、正面吸込口１だけでなく、図１に示す側面吸込口３,４および上面吸込口５からも室内空気を吸い込む。
【００１８】
また、上記遠心ファン２５の後面側には、仕切板４０を隔てて、図２(c)に示すように、水タンク３１と、上記水タンク３１を受けるタンク受皿部３２を配置している。上記タンク受皿部３２の下端に配管３３の一端を接続し、配管３３の他端をヒータ部３４の下部に接続している。上記ヒータ部３４の上側に先細りした円錐形状のダクト３５を取り付け、ダクト３５の上端と空気清浄部２０の吹き出し通路２６を蒸気吹出管３６を介して接続している。上記水タンク３１,タンク受皿部３２,配管３３,ヒータ部３４,ダクト３５および蒸気吹出管３６で加湿部３０を構成している。
【００１９】
上記加湿部３０において、水タンク３１内の水は、タンク受皿部３２,配管３３を介してヒータ部３４に供給される。そして、ヒータ部３４により加熱されて蒸発した蒸気は、ダクト３５,蒸気吹出管３６を介して空気清浄部２０の吹き出し通路２６内に吹き出す。そうして、上記加湿部３０からの蒸気が空気清浄部２０により清浄化された空気と共に吹出口２から室内に吹き出す。
【００２０】
また、図３は上記加湿機能付き空気清浄機の吹き出し通路の要部(吹出口２側)の拡大図を示しており、図３に示すように、蒸気吹出管３６は、吹き出し通路２６内の吹出口２から上流側に所定の間隔Ｄをあけて配置されている。ここで、間隔Ｄは、吹出口２の縁から蒸気吹出管３６の蒸気吹出口３６aの最も下流側(図３では上端)までの距離であり、この実施形態では、７０ｍｍ〜８０ｍｍに設定している。また、上記加湿機能付き空気清浄機は、吹き出し通路２６内にマイナスイオンを発生させる高電圧発生部２７を配置している。上記蒸気吹出管３６の蒸気吹出口３６aを高電圧発生部２７よりも下流側に配置している。
【００２１】
上記加湿部３０の蒸気吹出口３６aからの蒸気を吹き出し通路２６内に供給する手段として、例えば加湿部３０の蒸気吹出口３６aから蒸気を送風ファンにより強制的に吹き出すようにしてもよいし、空気清浄部２０により清浄化された空気が吹き出し通路２６を通過するときの流れにより生ずる負圧を用いて加湿部３０から蒸気吹出口３６aを介して吹き出し通路２６内に蒸気を引き込む構成としてもよい。
【００２２】
上記加湿機能付き空気清浄機は、遠心ファン２５の回転数を制御することにより空気清浄部２０の吹き出し風量を増減することができる。また、上記加湿部３０からの加湿空気が空気清浄部２０により清浄化された空気と共に吹出口２から吹き出すとき、最低風量において吹き出し空気の温度が略５５℃となるようにし、それ以上の温度にならないようにしている。
【００２３】
上記構成の加湿機能付き空気清浄機によれば、加湿部３０の蒸気吹出口３６aからの蒸気は、空気清浄部２０の吹き出し通路２６内に供給されるので、空気清浄部２０により清浄化された多量の空気と共に室内に吹き出して、室内に加湿空気を効率よく循環させることができる。また、加湿部３０からの蒸気と空気清浄部２０からの清浄化された多量の空気が混ざり合うことにより、吹き出し空気の温度を下げることができる。したがって、簡単な構成で加湿効果を向上できると共に、やけどの発生を防止することができる。
【００２４】
また、上記加湿部３０の蒸気吹出口３６aを高電圧発生部２７よりも下流側に配置することによって、蒸気が高電圧発生部２７に達することがなく、高電圧発生部２７における異常放電などの発生を防止することができる。
【００２５】
また、上記加湿部３０の蒸気吹出口３６aを、吹き出し通路２６の吹出口２から所定の間隔Ｄをあけて上流側に配置することによって、加湿部３０の蒸気吹出口３６aから吹き出した蒸気が吹き出し通路２６の吹出口２に達するまでに空気清浄部２０からの清浄化された空気と十分に混ざり合って吹き出し空気の温度を下げるので、やけどの発生を確実に防止することができる。
【００２６】
上記実施の形態では、遠心ファン２５を用いた加湿機能付き空気清浄機について説明したが、送風ファンはこれに限らず、シロッコファンなどの他の送風装置であってもよい。
【００２７】
また、上記実施の形態では、ヒータ部３４を用いた加湿部３０を備えた加湿機能付き空気清浄機について説明したが、超音波式や気化式の加湿部などを備えたものでもよい。
【図面の簡単な説明】
【００２８】
【図１】図１(a)はこの発明の実施の一形態の加湿機能付き空気清浄機の正面図であり、図１(b)は上記加湿機能付き空気清浄機の側面図であり、図１(c)は上記加湿機能付き空気清浄機の上面図である。
【図２】図２(a)は上記加湿機能付き空気清浄機の正面側から見た模式図であり、図２(b)は上記加湿機能付き空気清浄機の側面側から見た構成を示す模式図であり、図２(c)は上記加湿機能付き空気清浄機の背面側から見た構成を示す模式図である。
【図３】図３は上記加湿機能付き空気清浄機の要部の拡大図である。
【符号の説明】
【００２９】
１…正面吸込口
２…吹出口
３,４…側面吸込口
５…上面吸込口
１０…本体ケーシング
１１…フロントパネル
２０…空気清浄部
２１…プレフィルタ
２２…電気集塵部
２３…第１空気清浄用フィルタ
２４…第２空気清浄用フィルタ
２５…遠心ファン
２６…吹き出し通路
２７…高電圧発生部
３０…加湿部
３１…水タンク
３２…タンク受皿部
３３…配管
３４…ヒータ部
３５…ダクト
３６…蒸気吹出管
３６a…蒸気吹出口
４０…仕切板
【図１】
2006046875.tif 000003
【図２】
2006046875.tif 000004
【図３】
2006046875.tif 000005